(57)【要約】【課題】  電子ロック機構から磁気が生じた場合にも、磁気が収納スペース内の収納物に影響を及ぼさないようにすることで、信頼性が高い電子ロック機構付運搬用ケースを提供することである。【解決手段】  蓋体１と、収納スペース２ａを有する収納体２とからなり、この蓋体１又は収納体２に、電気的信号によって施錠・解錠を行う電子ロック機構４ａを設けた電子ロック機構付運搬用ケースにおいて、電子ロック機構４ａと収納スペース２ａとの間に磁気遮蔽部材５を設けた点に特徴を有する。【選択図】  図１
2006249866.tif 000002
【特許請求の範囲】
【請求項１】
蓋体と、収納スペースを有する収納体とからなり、この蓋体又は収納体に、電気的信号によって施錠・解錠を行う電子ロック機構を設けた電子ロック機構付運搬用ケースにおいて、電子ロック機構と収納スペースとの間に磁気遮蔽部材を設けたことを特徴とする電子ロック機構付運搬用ケース。
【発明の詳細な説明】
【技術分野】
【０００１】
この発明は、電気的信号によって施錠・解錠を行う電子ロック機構を備えた運搬用ケースに関する。
【背景技術】
【０００２】
図２及び図３に、一般的に使用されている周知の電子ロック機構付運搬用ケースを示す。
図２及び図３は、上記電子ロック機構付運搬用ケースの開いている状態及び閉じている状態を示す斜視図である。
図２に示す運搬用ケースは、蓋体１と、収納スペース２ａを有する収納体２とからなり、蓋体１と収納体２とは蝶番３によってその一辺を連結させている。また蓋体１の内側には、電子ロック機構４ａを内蔵する電子ロックケース４が備え付けられている。上記電子ロックケース４の一面には操作部４ｂを有する。この操作部４ｂは、図３に示すように、蓋体１の外部に露出しており、操作部４ｂ以外の面は収納スペース２ａ側に露出している。つまり、上記電子ロック機構４ａは収納スペース２ａ側に露出していることになる。
なお、この従来例では、蓋体１と収納体２を閉じた状態で、電子ロック機構４ａが収納スペース２ａ側に突出するようにしているが、上記電子ロック機構４ａは必ずしも収納スペース２ａ側に突出するようにしなくてもよい。
【０００３】
次に、この装置の作用を説明する。
図３に示すように、蓋体１を閉じた状態で操作部４ｂを操作すると、電気的信号が発生する。ここでいう操作とは、施錠・解錠操作のことであり、例えば操作部４ｂをテンキーとしておき、ユーザーが施錠・解錠のために暗証番号を入力することである。
そして、操作部４ｂを操作して電気的信号が入力されると、電子ロック機構４ａがその信号に応じて施錠・解錠を行う。
【０００４】
例えば、運搬用ケースを施錠したいときは、蓋体１と収納体２を閉じた状態で、ユーザーが操作部４ｂに対して施錠操作をすれば、電子ロック機構４ａによって施錠ができる。
また、解錠したい場合は、上記の方法によって施錠されている状態で、操作部４ｂに対して解錠操作をすればよい。
【発明の開示】
【発明が解決しようとする課題】
【０００５】
上記従来の電子ロック機構付運搬用ケースでは、電子ロック機構４ａが磁気を発生することがある。このとき、上記電子ロック機構４ａは収納スペース２ａ側に露出しているので、収納スペース２ａ内に磁気の影響を受けやすいものを収納した場合、電子ロック機構４ａから発生した磁気が上記収納物に影響を及ぼす可能性があった。つまり、フレキシブルディスク等の磁気的情報記憶媒体や電子機器を収納すると、それらが磁気の影響を受けた場合、上記情報記憶媒体が壊れたり、電子機器が誤動作したりする可能性があった。
従って、運搬用ケースとしては信頼性が低いものであった。
なお、この従来の運搬用ケースは、一般的に使用されているものなので、特に先行技術調査はしていない。
【０００６】
この発明の目的は、電子ロック機構から磁気が生じた場合にも、磁気が収納スペース内の収納物に影響を及ぼさないようにすることで、信頼性が高い電子ロック機構付運搬用ケースを提供することである。
【課題を解決するための手段】
【０００７】
この発明は、蓋体と、収納スペースを有する収納体とからなり、この蓋体又は収納体に、電気的信号によって施錠・解錠を行う電子ロック機構を設けた電子ロック機構付運搬用ケースにおいて、電子ロック機構と収納スペースとの間に磁気遮蔽部材を設けたことを特徴とする。
【発明の効果】
【０００８】
この発明によれば、電子ロック機構と、収納スペースとの間に磁気遮蔽部材を設けたことで、電子ロック機構から生じた磁気を、収納スペース内の収納物に及ぼさないようにすることができる。
その結果、収納スペースにフレキシブルディスク等の磁気的情報記憶媒体や、電子機器を収納しても、磁気によって情報媒体が壊れたり、電子機器が誤作動したりすることがない。従って、信頼性の高い電子ロック機構付運搬用ケースを実現できる。
【発明を実施するための最良の形態】
【０００９】
図１に、この発明の実施形態を示して説明する。
なお、この発明の最大の特徴は、電子ロック機構と収納スペースとの間に磁気遮蔽部材を設けた点で、その他の構成は、図２及び図３に示した従来例と同様である。しかし以下においては、従来例と同じ要素についても詳細に説明する。また、この発明と従来例とで同様の構成要素については、図２及び図３と同じ符号を用いて説明する。
【００１０】
図１は、この発明である電子ロック機構付運搬用ケースを示すものである。上記電子ロック機構付運搬用ケースは蓋体１と、収納スペース２ａを有する収納体２からなり、蓋体１と収納体２は、蝶番３によってその一辺を連結させている。
また蓋体１の内側には、電子ロック機構４ａを内蔵する電子ロックケース４が備え付けられている。上記電子ロックケース４の一面には操作部４ｂを有する。そして上記操作部４ｂが蓋体１から外部に露出するように、電子ロックケース４が蓋体１に備え付けられている。
そして蝶番３には、電子ロック機構４ａを内蔵する電子ロックケース４から収納スペース２ａを遮蔽するように、磁気遮蔽部材５が備え付けられている。
【００１１】
次に、上記電子ロック機構付運搬用ケースの作用について説明する。
例えば、運搬用ケースを施錠したい場合に、蓋体１と収納体２を閉じた状態で、操作部４ｂに対して施錠操作をする。するとこの施錠操作によって入力された電気的信号で、電子ロック機構４ａが施錠を行う。
【００１２】
この施錠の際に、電子ロック機構４ａから磁気が発生したとする。このとき、磁気遮蔽部材５が電子ロック機構４ａと収納スペース２ａとにあるので、電子ロック機構４ａから磁気が発生したとしても、磁気が収納スペース２ａに収納物に及ぶことはない。
その結果、収納スペース２ａにフレキシブルディスク等の磁気的情報記録媒体や、電子機器等を収納しても、上記収納物が磁気によって壊れたり、誤動作したりすることがない。
従って、信頼性の高い電子ロック機構付運搬用ケースを実現できる。
【００１３】
上記実施例では、電子ロックケース４を蓋体１内部に設けたが、これは収納体２内部に設けてもよい。この場合にも収納スペース２ａと電子ロックケース４との間に磁気遮蔽部材５を備え付ければよい。ただし、この場合には、磁気遮蔽部材５に対して電子ロックケース４側は収納スペースではなくなる。また上記磁気遮蔽部材５は蝶番に備え付けたものに限られず、どこに備え付けてもよい。
また電子ロック機構４ａ及び操作部４ｂについては、電気的に施錠・解錠するものであれば、いかなる構造・形状によるものであってもよい。
さらに、磁気遮蔽部材５は一般に周知である磁気シールドの機能を有するものであれば、特にその素材等は限定されるものではない。
【図面の簡単な説明】
【００１４】
【図１】この発明の電子ロック機構付運搬用ケースの斜視図である。
【図２】従来の電子ロック機構付運搬用ケースを開いたときの斜視図である。
【図３】従来の電子ロック機構付運搬用ケースを閉じたときの斜視図である。
【符号の説明】
【００１５】
１      蓋体
２      収納体
２ａ    収納スペース
３      蝶番
４      電子ロックケース
４ａ    電子ロック機構
４ｂ    操作部
５      磁気遮蔽部材
【図１】
2006249866.tif 000003
【図２】
2006249866.tif 000004
【図３】
2006249866.tif 000005